(57)【要約】【課題】連続してコーヒーを抽出しても抽出中の加熱手段の温度上昇を適度に抑え蒸気吐出を抑制して、所望の抽出時間と抽出量が変化しないので安定しておいしいコーヒーを淹れることができること。【解決手段】加熱手段４の加熱開始前の温度検知手段５の検知温度に応じて加熱手段４の加熱出力を変更する構成としたものである。これにより、加熱前に加熱手段４の温度が高いときは抽出時の加熱電力を低下させるので抽出時の加熱手段４の過度の温度上昇を抑えることができるため、蒸気吐出が低減できる。また、加熱前の加熱手段４の温度が常温のときは抽出時の加熱電力を低下させないため抽出時の加熱手段４の温度が低下せず、給湯温度が低くなったり給湯時間が長くなったりしないようにできる。【選択図】図１
2006334057.tif 000002
【特許請求の範囲】
【請求項１】
水を収容する水容器と、コーヒー粉を収容して注いだ湯によりコーヒー液を抽出する抽出室と、前記水容器から前記抽出室上部に配設した水管と、前記水管の一部と一体化して前記水管を加熱する加熱手段と、前記加熱手段の出力を制御する加熱制御手段と、前記加熱手段に取り付けた温度検知手段とを備え、前記加熱制御手段は、前記加熱手段の加熱開始前の前記温度検知手段の検知温度に応じて前記加熱手段の加熱出力を変更する構成としたコーヒー沸かし器。
【請求項２】
加熱制御手段は、温度検知手段の検知温度に反比例して加熱手段の加熱出力を変更するようにした請求項１に記載のコーヒー沸かし器。
【請求項３】
水を収容する水容器と、コーヒー粉を収容して注いだ湯によりコーヒー液を抽出する抽出室と、前記水容器から前記抽出室上部に配設した水管と、前記水管の一部と一体化して前記水管を加熱する加熱手段と、前記加熱手段の出力を制御する加熱制御手段と、複数回連続してコーヒーを抽出する場合に加熱終了から次回の加熱開始までの時間を計時する計時手段とを備え、前記加熱制御手段は、前記計時手段による計時時間に応じて前記加熱手段の加熱出力を変更する構成としたコーヒー沸かし器。
【請求項４】
加熱制御手段は計時手段による計時時間に比例して次回の加熱手段の加熱出力を変更させる構成とした請求項３に記載のコーヒー沸かし器。
【請求項５】
抽出するカップ数を設定するカップ数設定手段を備え、加熱制御手段は、前記カップ数設定手段の設定カップ数に応じて加熱手段の加熱出力を変更する構成とした請求項１〜４のいずれか１項に記載のコーヒー沸かし器。
【請求項６】
水を収容する水容器と、コーヒー粉を収容して注いだ湯によりコーヒー液を抽出する抽出室と、前記水容器から前記抽出室上部に配設した水管と、前記水管の一部と一体化して前記水管を加熱する加熱手段と、前記加熱手段の出力を制御する加熱制御手段と、前記加熱手段に取り付けた温度検知手段と、加熱手段を冷却する冷却手段とを備え、前記冷却手段は、加熱終了後に前記加熱手段を冷却するようにしたコーヒー沸かし器。
【請求項７】
冷却手段は、所定時間経過すると自動的に停止する構成とした請求項６に記載のコーヒー沸かし器。
【請求項８】
冷却手段は、温度検知手段の検知温度が所定温度を下回ると自動的に停止する構成とした請求項６に記載のコーヒー沸かし器。
【発明の詳細な説明】
【技術分野】
【０００１】
本発明は、コーヒー粉に湯を供給することによりコーヒー液を抽出するコーヒー沸かし器に関する。
【背景技術】
【０００２】
従来、この種のコーヒー沸かし器は図９のような構成をしており、水容器１０１から水管１０３へ導入した水を加熱手段１０４で加熱する。加熱された水の一部は沸騰し、その蒸気圧により水管１０３内の湯を上昇させて抽出室１０２に送る。水容器１０１の水が少なくなり、水管１０３に導入される水量が減少してくると平衡していた加熱手段１０４の温度が徐々に上昇する。そして加熱手段１０４の温度を検知する温度検知手段１０５の検知温度が所定の温度を超えると加熱制御手段１０６は加熱手段１０４の出力を下げるようにしている。加熱手段１０４の出力を低下させることで水管１０３の過熱を抑えて、水管１０３内の水が一挙に全て蒸気になるのを防止して水管１０３の開放口から湯が出ずに蒸気ばかり吐出するという不具合を解消するようにしている（例えば、特許文献１参照）。
【特許文献１】特開２００２−２６３００４号公報
【発明の開示】
【発明が解決しようとする課題】
【０００３】
しかしながら、前記従来の構成では、コーヒー沸かし器の本体および加熱手段１０４の温度が室温に近い常温のときに加熱抽出を開始した場合にコーヒーがおいしくなるように抽出温度、抽出時間、抽出湯量を設定している。そのため、連続して２度、３度と繰り返し加熱抽出すること、例えば、豆の銘柄を個人の好みに合わせて変えて抽出する場合や多人数で繰り返し使用する場合等、は想定していないため、繰り返し連続して加熱抽出すると加熱制御手段１０６が加熱手段１０４の出力を低下させても抽出中の加熱手段１０４の温度上昇が常温から開始した場合に比べて大き過ぎるため多量の蒸気が吐出されコーヒーの出来上がり量が減ってしまう。一方、連続抽出を想定して加熱手段１０４の出力低下を大きく設定すると、逆に常温時に加熱を開始した場合に加熱手段１０４の温度が低くなり過ぎるため、湯沸かしに時間が掛かり抽出時間が長くなるため、コーヒーが濃くなり過ぎたり苦味や渋みが増したりしてコーヒーがまずくなるという課題を有していた。
【０００４】
本発明は、前記従来の課題を解決するもので、連続してコーヒーを抽出しても抽出中の加熱手段の温度上昇を適度に抑え蒸気吐出を抑制するため、抽出時間と抽出量が変化しない安定しておいしいコーヒーを淹れることができるコーヒー沸かし器を提供することを目的とする。
【課題を解決するための手段】
【０００５】
前記従来の課題を解決するために、本発明のコーヒー沸かし器は、加熱手段の加熱開始前の温度検知手段の検知温度に応じて加熱手段の加熱出力を変更する構成としたものである。
【０００６】
これによって、加熱前に加熱手段の温度が高いと抽出時の加熱電力を低下させるので抽出時の加熱手段の過度の温度上昇を抑えることができるため、蒸気吐出が低減できる。また、加熱前の加熱手段の温度が常温のときは抽出時の加熱電力を低下させないため抽出時の加熱手段の温度が低下せず、給湯温度が低くなったり給湯時間が長くなったりしない。
【０００７】
また、複数回連続してコーヒーを抽出する場合に加熱終了から次回の加熱開始までの時間を計時する計時手段を備え、前記加熱制御手段は、前記計時手段による計時時間に応じて前記加熱手段の加熱出力を変更する構成としたものである。
【０００８】
これによって、温度検知手段が無くても計時時間が所定時間より短いと加熱手段の温度が高いと想定できるため、抽出時の加熱電力を低下させて抽出時の加熱手段の過度の温度上昇を抑えて蒸気吐出を低減できる。
【０００９】
また、加熱手段を冷却する冷却手段とを備え、前記冷却手段は、加熱終了後に前記加熱手段を冷却するようにしたものである。
【００１０】
これによって、加熱終了時に前記加熱手段を短時間で常温まで冷却することができるため、連続して加熱抽出する場合に加熱開始時の加熱手段の温度が常に常温に近い状態から開始できる。
【発明の効果】
【００１１】
本発明のコーヒー沸かし器は、連続して２度、３度と繰り返し加熱抽出を行っても蒸気吐出しにくいためコーヒーの出来上がり量、コーヒーの濃さが常温から加熱抽出した初回時と変わらない安定しておいしいコーヒーを淹れることができる。
【発明を実施するための最良の形態】
【００１２】
第１の発明は、水を収容する水容器と、コーヒー粉を収容して注いだ湯によりコーヒー液を抽出する抽出室と、前記水容器から前記抽出室上部に配設した水管と、前記水管の一部と一体化して前記水管を加熱する加熱手段と、前記加熱手段の出力を制御する加熱制御手段と、前記加熱手段に取り付けた温度検知手段とを備え、前記加熱手段の加熱開始前の前記温度検知手段の検知温度に応じて前記加熱手段の加熱出力を変更するとすることにより、加熱前に加熱手段の温度が高いと抽出時の加熱電力を低下させるので抽出時の加熱手段の過度の温度上昇を抑えることができるため、蒸気吐出が低減できる。また、加熱前の加熱手段の温度が常温のときは抽出時の加熱電力を低下させないため抽出時の加熱手段の温度が低下せず、給湯温度が低くなったり給湯時間が長くなったりしない。そのため、連続して２度、３度と繰り返し加熱抽出を行っても蒸気吐出を抑えるためコーヒーの出来上がり量、コーヒーの濃さが常温から加熱抽出した初回時と変わらない安定しておいしいコーヒーを淹れることができる。
【００１３】
第２の発明は、特に、第１の発明において温度検知手段の検知温度に反比例して加熱手段の加熱出力を変更するとすることにより、加熱抽出前の加熱手段の温度により加熱出力の設定を細かく調整して加熱抽出中の加熱手段の温度上昇をほぼ一定にすることができるため、加熱抽出前の加熱手段の温度が大きく変動していても効果的に蒸気吐出を抑えるためコーヒーの出来上がり量、コーヒーの濃さが常温から加熱抽出した初回時と変わらない更に安定しておいしいコーヒーを淹れることができる。
【００１４】
第３の発明は、水を収容する水容器と、コーヒー粉を収容して注いだ湯によりコーヒー液を抽出する抽出室と、前記水容器から前記抽出室上部に配設した水管と、前記水管の一部と一体化して前記水管を加熱する加熱手段と、前記加熱手段の出力を制御する加熱制御手段と、複数回連続してコーヒーを抽出する場合に加熱終了から次回の加熱開始までの時間を計時する計時手段とを備え、前記計時手段による計時時間に応じて前記加熱手段の加熱出力を変更するとすることにより、温度検知手段が無くても計時時間が所定時間より短いと加熱手段の温度が高いと想定できるため、抽出時の加熱電力を低下させて抽出時の加熱手段の過度の温度上昇を抑えて蒸気吐出を低減できる。そのため、連続して２度、３度と繰り返し加熱抽出を行っても蒸気吐出を低減するためコーヒーの出来上がり量、コーヒーの濃さが常温から加熱抽出した初回時と変わらない安定しておいしいコーヒーを淹れることができる。
【００１５】
第４の発明は、特に、第３の発明において、計時手段による計時時間に比例して次回の加熱手段の加熱出力を変更させるとすることにより、温度検知手段が無くても計時時間により加熱手段の温度が想定できるため、抽出時の加熱電力の設定を細かく調整して抽出時の加熱手段の過度の温度上昇をほぼ一定に抑えることができるため、蒸気吐出が低減できる。そのため、連続して２度、３度と繰り返し加熱抽出を行っても蒸気吐出を効果的に低減するためコーヒーの出来上がり量、コーヒーの濃さが常温から加熱抽出した初回時と変わらない安定しておいしいコーヒーを淹れることができる。
【００１６】
第５の発明は、特に、第１〜４のいずれか１つの発明に、抽出するカップ数を設定するカップ数設定手段を備え、前記カップ数設定手段の設定カップ数に応じて加熱手段の加熱出力を変更するとすることにより、抽出するカップ数が少ない場合の加熱手段の加熱出力をカップ数が多い場合より低く設定できるため、カップ数が少ない場合の蒸気吐出を効果的に抑えることができ少量カップ数のコーヒーの出来上がり量、コーヒーの濃さが常温から加熱抽出した初回時と変わらない安定しておいしいコーヒーを淹れることができる。
【００１７】
第６の発明は、水を収容する水容器と、コーヒー粉を収容して注いだ湯によりコーヒー液を抽出する抽出室と、前記水容器から前記抽出室上部に配設した水管と、前記水管の一部と一体化して前記水管を加熱する加熱手段と、前記加熱手段の出力を制御する加熱制御手段と、前記加熱手段に取り付けた温度検知手段と、加熱終了後に加熱手段を冷却する冷却手段とを備えたとすることにより、加熱終了時に前記加熱手段を短時間で常温まで冷却することができるため、連続して加熱抽出する場合に加熱開始時の加熱手段の温度が常に常温に近い状態から開始できるため、特別に加熱出力の制御を行わなくてもコーヒーの出来上がり量、コーヒーの濃さが安定したおいしいコーヒーを淹れることができる。
【００１８】
第７の発明は、特に、第６の発明の冷却手段を、所定時間経過すると自動的に停止するとすることにより、温度検知手段の検知温度を必要としない簡単な制御で加熱手段を冷却する構成を実現できる。
【００１９】
第８の発明は、特に、第６の発明の冷却手段を、温度検知手段の検知温度が所定温度を下回ると自動的に停止するとすることにより、確実に加熱手段を冷却して、更に最短時間で冷却手段を停止することができるため、連続抽出する場合の待ち時間を短縮することができる使い勝手の良いコーヒー沸かし器を提供することができる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態におけるコーヒー沸かし器の構成図を示すものである。
【００２２】
図１において、水容器１にカップ数分の水を入れ、抽出部２にはペーパーフィルターを装着してコーヒー粉を分量通り入れる。水管３は一端を水容器１の底に接続し、他端を抽出部２の上方に位置するように配置しており、加熱手段４は水管３の一部と当接して一体化したブロック構成にしている。温度検知手段５は加熱手段４内を通る水管３に取り付けたサーミスタ素子で温度を検出する。ガラス容器である保温容器７は抽出部２から抽出されたコーヒー液を収容するもので、加熱手段４の上に置いてコーヒー液を保温する。
【００２３】
以上のように構成されたコーヒー沸かし器について、以下その動作、作用を説明する。
【００２４】
まず、水容器１の水は、その底部に設置された逆止弁８を介して水管３に導入される。加熱手段４にて加熱された湯水は沸騰による蒸気圧により逆止弁８を押し上げ、水容器１からの流入を止める一方、水管３内の湯を上方に押し上げて、抽出部２に排出する。以後、水容器１の水が全て抽出部２に排出されるまでこの動作をくり返す。水容器１の水が全て加熱され抽出部２に排出されると加熱手段４の温度は急激に上昇する。加熱制御手段６は温度検知手段５の検知温度が１２５℃以上になると加熱手段４への通電をオフする。その後、加熱制御手段６は温度検知手段５の検知温度が１０５℃未満になると加熱手段４に通電し、再び１２５℃以上になれば通電をオフすることを繰り返し保温容器７内のコーヒー液の保温を行う。ここで、図２に５カップのコーヒーを抽出した時の温度検知手段５による加熱手段４の検知温度のタイムチャートを示す。水容器１の水温が２５℃で周囲温度が２５℃のとき加熱手段４の温度も周囲温度と同じである２５℃の場合のとき、コーヒーの抽出を開始する場合を初回抽出と呼ぶことにする。初回抽出時は加熱開始とともに加熱手段４の検知温度は加熱開始前と同じ２５℃から上昇して約５０℃で平衡する。約５０℃の平衡する時間は約２分程度であり、その後水容器１内の水量の減少とともに、水圧が低下し水管３に流入する１回当たりの水量も減るため加熱手段４の検知温度は除々に上昇する。水容器１の水がほぼ無くなる頃に検知温度は約６５℃まで上昇し僅かな蒸気が吐出されると加熱手段４は空焚き状態となり温度は急上昇する。加熱制御手段６が加熱手段４の通電を停止した後加熱手段４の検知温度はオーバシュートして最大約１４０℃まで上昇する。最大温度から約３分後のＡ点で水容器１に２５℃の水を入れると検知温度は約４０℃まで下降する。この時点で連続２回目のコーヒー抽出を行うと、検知温度は約６２℃で平衡しその後水容器１の水量減少に伴い検知温度が上昇し約６５℃を超えるＢ点で蒸気吐出が発生する。図２の点線で示すように２回目の抽出を従来と同じように１回目と同じ加熱出力で抽出時には、加熱手段４の温度およびコーヒー沸かし器本体の温度も高温になっているので、初回と同じ加熱電力でも水管３内の水に伝わる熱量が多くなるため、蒸気吐出が発生し易くなる。蒸気吐出が発生すると水管３の内圧が蒸気圧により上がるため水容器１からの水が流入しずらくなり、抽出時間の長時間化による過抽出と蒸気化による抽出湯量の減少で、苦く濃く分量の少ないコーヒーが出来上がってしまう。それで、図２の実線で示すように本実施の形態では、加熱開始前の加熱手段４の温度検知手段５による検知温度が３５℃以上の場合抽出中の加熱出力を低下させるようにする。初回時の加熱出力は７５０Ｗであり、加熱出力の低下時は１４／１６秒のデューティをかけた約６５６Ｗにしている。これにより、２回目の加熱手段４の温度上昇が抑えられ初回とほぼ同じ約５０℃で平衡するため蒸気吐出が抑えられる。また本実施の形態では、加熱開始前の検知温度が高ければ高いほど加熱出力のデューティ比を低下させるようにしている。これにより、加熱抽出前の加熱手段４の温度により加熱出力の設定を細かく調整して加熱抽出中の加熱手段４の温度上昇をほぼ一定にすることができるため、加熱抽出前の加熱手段４の温度が大きく変動していても効果的に蒸気吐出を低減するためコーヒーの出来上がり量、コーヒーの濃さが常温から加熱抽出した初回時と変わらない安定しておいしいコーヒーを淹れるコーヒー沸かし器を提供することができる。また、図１に示すように本実施の形態では使用者が設定することができるカップ数設定手段９を設けている。前述したように水容器１の水量が少ないと水管３に流入する１回当りの水量が減るため同じ加熱出力でも蒸気吐出が発生しやすくなる。このため、水量５カップより水量１カップの時の方が蒸気吐出が発生しやすくなり、これは連続２回抽出した場合はより顕著になる。本実施の形態では、使用者が３カップ以上か２カップ以下かをカップ数設定手段９に設定すると加熱制御手段６は図４に示すように、２カップ以下のときは３カップ以上の時に比べてさらに加熱出力を低下させるように制御する。これにより、特に連続して抽出する場合においてカップ数が少ない場合の加熱手段４の加熱出力をカップ数が多い場合より低く設定できるため、カップ数が少ない場合の蒸気吐出を効果的に抑えることができ少量カップ数のコーヒーの出来上がり量、コーヒーの濃さが常温から加熱抽出した初回時と変わらない安定しておいしいコーヒーを淹れるコーヒー沸かし器を提供することができる。
【００２５】
（実施の形態２）
図５は、本発明の第２の実施の形態におけるコーヒー沸かし器の構成図である。本実施の形態の特徴は計時手段１０を付加したことである。他の構成は第１の実施の形態と同一構成であるので説明は省略する。
【００２６】
図６は温度検知手段５による加熱手段４の検知温度を示すタイムチャートである。図６において、始めに初回抽出開始後において、検知温度が上昇し抽出が終了して保温状態に移行した後使用者が保温を取りやめた時点を加熱終了とすると、計時手段１０は加熱終了からの経過時間を積算するようにしている。その後、使用者がＢ点で水容器１に水を入れて２回目の抽出の加熱を開始すると計時手段１０は加熱終了から加熱開始までの時間Ｔを得る。連続して２回目の抽出を行うまでの時間が長ければ長いほど加熱手段４が室温に近づくため、本実施の形態では実験的に時間Ｔと加熱手段４の検知温度の相関を求めた上で時間Ｔに応じて加熱出力を変更するものである。よって、特にサーミスタのような温度検知手段がないサーモスタットを備えたコーヒー沸かし器にも利用できるものである。図７に示すように時間Ｔが２０分以上であれば、水容器１に約２５℃の水を入れたとき検知温度は約３５℃以下となるため加熱出力は変更しない。時間Ｔすなわち冷却時間が短くなるにしたがって加熱手段４の温度も高くなるため、実験的に求めた蒸気吐出が発生しにくい加熱出力になるように加熱制御手段６は加熱手段４をデューティ制御する、例えば、図６の場合は時間Ｔが３分未満なのでデューティ比１１／１６にする。以上のように、温度検知手段が無くても計時時間が所定時間より短いと加熱手段の温度が高いと想定できるため、抽出時の加熱電力を低下させて抽出時の加熱手段の過度の温度上昇を抑えることができ蒸気吐出が低減できる。そのため、連続して２度、３度と繰り返し加熱抽出を行っても蒸気吐出が発生しにくいためコーヒーの出来上がり量、コーヒーの濃さが常温から加熱抽出した初回時と変わらない安定しておいしいコーヒーを淹れるコーヒー沸かし器を提供することができる。
【００２７】
また、本実施の形態では計時手段１０による計時時間に比例して次回の加熱手段４の加熱出力を低下させる構成としたため、温度検知手段５が無くても計時時間により加熱手段の温度が想定できるため、抽出時の加熱電力の設定を細かく調整して抽出時の加熱手段４の過度の温度上昇をほぼ一定に抑えることができるため、蒸気吐出が低減できる。そのため、連続して２度、３度と繰り返し加熱抽出を行っても蒸気吐出を効果的に低減するためコーヒーの出来上がり量、コーヒーの濃さが常温から加熱抽出した初回時と変わらない安定しておいしいコーヒーを淹れることができるコーヒー沸かし器を提供することができる。
【００２８】
なお、季節による水温、室温の変化に応じて抽出時の加熱電力の設定を細かく調整するようにしてもよい。
【００２９】
（実施の形態３）
図８は、本発明の第３の実施の形態におけるコーヒー沸かし器の構成図である。本実施の形態の特徴は冷却手段１１を付加したことである。他の構成は第１の実施の形態と同一構成であるので説明は省略する。図８において、冷却手段１１は小型ファンと駆動モータと制御部からなるもので、加熱終了すなわち加熱抽出および保温の終了とともに駆動を開始して加熱手段４を強制的に冷却する。約２５℃の水を使用する場合に蒸気吐出が発生しにくい状態とするには加熱手段４を約１４０℃から６０℃まで冷却する必要がある。そのためには自然冷却で約２０分以上放置する必要があるが、本実施の形態の冷却手段１１を使用すると約５分で約６０℃まで冷却することができる。約５分待つことで、連続して２回目の抽出を行っても蒸気吐出が発生しにくいため、特別に加熱手段４の温度に応じて加熱出力を制御しなくてもよい。以上のように、加熱終了時に加熱手段４を短時間で冷却することができるため、連続して加熱抽出する場合に加熱開始時の加熱手段４の温度が常に常温に近い状態から抽出開始できるため、特別に加熱出力の制御を行わなくてもコーヒーの出来上がり量、コーヒーの濃さが安定したおいしいコーヒーを淹れるコーヒー沸かし器を提供することができる。
【００３０】
また、本実施の形態では約５分の間冷却手段１１を駆動させれば十分に加熱手段４を冷却できるため余裕を取って１０分で自動的に冷却手段１１を停止させるようにしているため簡単な制御で切り忘れ防止が実現できる。以上のように、冷却手段１１は所定時間経過すると自動的に停止する構成としたことにより、温度検知手段５の検知温度を必要としない簡単な制御で加熱手段４を冷却する構成を実現できる。
【００３１】
また、本実施の形態では、温度検知手段５の検知温度を利用して冷却手段１１を自動停止させることも可能である。この場合、検知温度が約６０℃まで低下すると停止させるようにすれば連続抽出時の蒸気吐出が抑えられる。以上のように、冷却手段１１は温度検知手段５の検知温度が所定温度を下回ると自動的に停止する構成としたことにより、確実に加熱手段４を冷却して、余裕を取って１０分で停止する場合に比べ、更に最短時間で冷却手段１１を停止することができるため、連続抽出する場合の待ち時間を短縮することができる使い勝手の良いコーヒー沸かし器を提供することができる。
【産業上の利用可能性】
【００３２】
以上のように、本発明にかかるコーヒー沸かし器は、連続抽出時の蒸気吐出を抑えることができるため、飲料用の加熱抽出器等の用途にも適用できる。
【図面の簡単な説明】
【００３３】
【図１】本発明の実施の形態１におけるコーヒー沸かし器の断面図
【図２】本発明の実施の形態１におけるコーヒー沸かし器の温度検知手段の検知温度のタイムチャート
【図３】本発明の実施の形態１におけるコーヒー沸かし器の温度検知手段の検知温度と加熱出力を示す図
【図４】本発明の実施の形態１におけるコーヒー沸かし器の温度検知手段の検知温度とカップ数による加熱出力を示す図
【図５】本発明の実施の形態２におけるコーヒー沸かし器の断面図
【図６】本発明の実施の形態２におけるコーヒー沸かし器の温度検知手段の検知温度のタイムチャート
【図７】本発明の実施の形態２におけるコーヒー沸かし器の温度検知手段の検知温度と加熱出力を示す図
【図８】本発明の実施の形態３におけるコーヒー沸かし器の断面図
【図９】従来のコーヒー沸かし器の断面図
【符号の説明】
【００３４】
１  水容器
２  抽出部（抽出室）
３  水管
４  加熱手段
５  温度検知手段
６  加熱制御手段
９  カップ数設定手段
１０  計時手段
１１  冷却手段
【図１】
2006334057.tif 000003
【図２】
2006334057.tif 000004
【図３】
2006334057.tif 000005
【図４】
2006334057.tif 000006
【図５】
2006334057.tif 000007
【図６】
2006334057.tif 000008
【図７】
2006334057.tif 000009
【図８】
2006334057.tif 000010
【図９】
2006334057.tif 000011